(57)【要約】【課題】帳票の画像データを管理するときの１件あたりのデータ量を減少するための手段を提供する。【解決手段】スキャナ３で読み取った顧客の帳票の画像データから帳票のフォーム画像を除去して顧客が文字を記入した領域を抽出した差分画像データを取得する帳票画像取得端末２と、差分画像データとフォーム画像とを合成して画像データを復元して表示する画像表示端末３０とを備え、帳票画像取得端末２は、差分画像データから分割画像データと、座標データとを取得する手段を有し、その分割画像データと座標データを画像表示端末３０に送信し、画像表示端末３０は、受信した分割画像データを座標データに基づいてフォーム画像に重ね、画像データを復元する手段を有することを特徴とする。【選択図】図１
2008005219.tif 000002
【特許請求の範囲】
【請求項１】
スキャナで読み取った顧客の帳票の画像データから帳票のフォーム画像を除去して顧客が文字を記入した領域を抽出した差分画像データを取得する帳票画像取得端末と、前記差分画像データとフォーム画像とを合成して画像データを復元して表示する画像表示端末とを備える帳票画像処理システムであって、
前記帳票画像取得端末は、前記差分画像データを文字ごとに分割した分割画像データと、その分割画像データが前記画像データのどこに位置していたかを示す座標データとを取得する手段を有し、取得した分割画像データと座標データを前記画像表示端末に送信し、
前記画像表示端末は、受信した前記分割画像データを前記座標データに基づいて帳票のフォーム画像に重ね、画像データを復元する手段を有することを特徴とする帳票画像処理システム。
【請求項２】
請求項１において、
前記画像表示端末は、複数の帳票のフォーム画像を記憶する記憶手段を有し、前記帳票画像取得端末から、前記分割画像データおよび座標データと共に送られてくる帳票の種別を示す情報に基づいて前記記憶手段からその種別に該当するフォーム画像を読み出し、そのフォーム画像に前記分割画像データを重ねて帳票の画像データを復元することを特徴とする帳票画像処理システム。
【請求項３】
請求項１または請求項２において、
前記帳票画像取得端末は、分割画像データを圧縮処理して前記画像表示端末に送信することを特徴とする帳票画像処理システム。
【請求項４】
請求項１、請求項２または請求項３において、
前記画像表示端末は、前記帳票画像取得端末から受信する分割画像データと座標データとを記憶する記憶手段を有することを特徴とする帳票画像処理システム。
【発明の詳細な説明】
【技術分野】
【０００１】
本発明は、銀行等の金融機関での取引で顧客が帳票に記入した領域を画像データにして抽出し、抽出した画像データを管理する帳票画像処理システムに関する。
【背景技術】
【０００２】
従来の帳票画像処理システムは、画像取得端末で顧客による記入および印鑑の押印がなされた帳票を画像データとして取得し、その画像データから帳票に元々印刷されている記入欄の枠となる罫線部分や文字部分等の帳票フォームを取り除くことで顧客が記入および押印した領域の画像データを抽出し、この抽出した画像データを画像表示端末に送信している。そして画像表示端末で画像データと帳票フォームと合成することで顧客によって記入された帳票を復元し、帳票の内容を確認する係員に表示している。
【特許文献１】特開平１１−９６２９７号公報（段落００１４−００１５、第１図）
【発明の開示】
【発明が解決しようとする課題】
【０００３】
近年、金融ビッグバンと呼ばれる銀行、保険、証券、損保、消費者金融等の金融機関の垣根の撤廃により、それぞれの金融機関が扱える業務種別が増加することで業務で扱う帳票の枚数が増加する傾向にあり、また「ｅ−文書法」における文書のカラー化に伴い、金融機関で扱われる帳票自体のカラー化が促進している。
しかしながら、上述した従来技術においては、顧客による記入等がなされた帳票から帳票フォームを取り除き、顧客が記入した部分や押印した部分を抽出した画像データを扱うようにしているが、帳票のカラー化によって抽出した画像データ１つあたりのデータ量が大きくなってきているため、画像データを記憶する帳票情報データベースに保存する画像データ数が減少してしまい、さらには画像データの転送負荷が大きくなるために画像データの転送に時間がかかり、さらにボトルネックによって他の業務におけるデータ通信が遅延してしまうという問題がある。
【０００４】
本発明は、上記の問題点を解決するための手段を提供することを目的とする。
【課題を解決するための手段】
【０００５】
本発明は、上記課題を解決するために、スキャナで読み取った顧客の帳票の画像データから帳票のフォーム画像を除去して顧客が文字を記入した領域を抽出した差分画像データを取得する帳票画像取得端末と、前記差分画像データとフォーム画像とを合成して画像データを復元して表示する画像表示端末とを備える帳票画像処理システムであって、前記帳票画像取得端末は、前記差分画像データを文字ごとに分割した分割画像データと、その分割画像データが前記画像データのどこに位置していたかを示す座標データとを取得する手段を有し、取得した分割画像データと座標データを前記画像表示端末に送信し、前記画像表示端末は、受信した前記分割画像データを前記座標データに基づいて帳票のフォーム画像に重ね、画像データを復元する手段を有することを特徴とする。
【発明の効果】
【０００６】
これにより、本発明は、顧客によって記入がなされた帳票の画像データを分割画像データと座標データとにするので、帳票１件あたりのデータ量を削減することができるという効果が得られる。
【発明を実施するための最良の形態】
【０００７】
以下に、図面を参照して本発明による帳票画像処理システムの実施例について説明する。
【実施例１】
【０００８】
図１は実施例１の帳票画像処理システムを示すブロック図である。
図１において、１は帳票画像処理システムである。
２は帳票画像取得端末であり、金融機関の店舗の窓口にスキャナ３と接続した状態で設置されており、スキャナ３で読み取った帳票の画像データ帳票の印刷フォームとの差分を抽出し、その抽出した画像データを圧縮して保存する機能を実現する端末である。
【０００９】
また、帳票画像取得端末２は表示操作部５と制御部６、記憶部７、通信部８、画像取得部１０、フォーム識別部１１、差分抽出部１２、画像分割部１３、画像圧縮部１４等により構成される。
表示操作部５は、ＬＣＤやＣＲＴ等の表示部やキーボードやマウス等の操作部によって構成されており、表示部に表示された内容に従う入力や、スキャナ３に対して画像データの取込指示等を行うために使用される。
【００１０】
制御部６は、記憶部７に格納されている制御プログラムに基づいて帳票画像取得端末２の各部を制御して帳票の画像データを取得処理等を遂行する機能を有しており、その遂行に当たっては、通信部８を介してスキャナ３と通信を行い、必要な情報の授受を行うものとなっている。
画像取得部１０は、制御部６と記憶部７に格納された画像取得のためのプログラムとによって実現され、スキャナ３で取り込まれた帳票の画像データをスキャナ３から取得する機能を有する。
【００１１】
フォーム識別部１１は、制御部６と記憶部７に格納された帳票識別のためのプログラムとによって実現され、画像取得部１０によって取得された帳票の画像データから帳票に印刷されている帳票フォーム識別情報としての帳票に記載された取引種別名をもとに、どの取引に用いられる帳票（帳票種別という。）であるかを識別する機能を有する。
この取引種別名は定めされた領域に記載されているもので、フォーム識別部１１は帳票がどの取引に用いられるかを特定する場合に画像データ内の取引種別名に当たる領域をもとに、各種の帳票の当該定められた領域の画像とマッチングを行い、一定基準以上のマッチングのとれたものを同一の帳票種別であると判定する。
【００１２】
差分抽出部１２は、制御部６と記憶部７に格納された差分抽出のためのプログラムとによって実現され、画像取得部１０によって取得した画像データから元々帳票に印刷されている帳票フォームに該当する部分を除去して顧客による記入および押印された領域を差分画像データとして抽出する機能を有する。
画像分割部１３は、制御部６と記憶部７に格納された画像分割のためのプログラムとによって実現され、ラベリング処理や外接矩形検出処理等の画像処理によって差分抽出部１２で抽出された差分画像データを文字ごとに切り出すことにより、分割した分割画像データとして出力し、かつそれぞれの分割画像データが差分画像データのどの位置にあったものかを示す座標データを取得する機能を有する。
【００１３】
このときの座標データは、差分画像データの領域における左上を基準とした座標である。
ここで差分画像データを分割する際は、差分画像データ内の文字が記入された文字領域は隣の文字と所定の間隔で開いていることを利用し、所定の間隔で開いている箇所で区切るようにしている。
【００１４】
そのため、文字の間隔が開いていれば１文字ごとに分割できるが、文字同士が密接している場合は複数の文字で区切って分割するようになる。
なお、印鑑が押印された押印領域は、それを１つとして差分画像データから分割される。
画像圧縮部１４は、制御部６と記憶部７に格納された画像データ圧縮処理のためのプログラムとによって実現され、画像分割部１３で出力された分割画像データを圧縮する機能を有する。
【００１５】
２０は帳票情報データベースであり、ハードディスクや外部保存メディア等の媒体であって、上記のフォーム特徴を記憶しておくためのフォーム識別情報記憶エリア２１や、フォーム画像記憶エリア２２、分割画像記憶エリア２３等を有する。
フォーム識別情報記憶エリア２１は、帳票種別ごとの帳票の特徴をその種別ごとに設定されている種別ＩＤに関連づけて記憶するための記憶エリアであり、本実施例においては、帳票にその取引種別が記載されているものとし、取引種別を示す画像とその帳票種別を示す種別ＩＤとを組み合わせた帳票種別情報を記憶している。
【００１６】
フォーム画像記憶エリア２２は、複数ある帳票種別の帳票フォームを記憶するための記憶エリアであり、その帳票フォームは上記の種別ＩＤと関連づけられている。
分割画像記憶エリア２３は、上記の帳票画像取得端末２の画像圧縮部１４で圧縮された分割画像データとそれぞれの座標データ、帳票ＩＤ等を記憶する記憶エリアである。
なお、帳票情報データベース２０にはフォーム識別情報記憶エリア２１やフォーム画像記憶エリア２２、分割画像記憶エリア２３を検索して必要な情報を取得して上記の帳票画像取得端末２に送信するための制御プログラムを有するものとする。
【００１７】
３０は画像表示端末であり、金融機関の店舗の窓口に設置されており、店舗の係員の操作によって顧客が記入して押印した帳票の画像データを表示する機能を実現する端末である。
また、画像表示端末３０は表示操作部３１と閲覧制御部３２、閲覧記憶部３３、閲覧通信部３４、画像合成部３７、画像圧縮部３８等で構成される。
【００１８】
表示操作部３１は、ＬＣＤやＣＲＴ等の表示部やキーボードやマウス等の操作部によって構成されており、表示部に顧客が記入して押印した帳票の画像を係員に表示する。
閲覧制御部３２は、閲覧記憶部３３に格納されている制御プログラムに基づいて画像表示端末３０の各部を制御して帳票の画像データ取得処理等を遂行する機能を有しており、その遂行に当たっては、閲覧通信部３４を介して帳票画像取得端末２と通信を行い、必要な情報の授受を行っている。
【００１９】
閲覧記憶部３３は、閲覧制御部３２が実行する制御のための制御プログラムを格納している他、上記のフォーム画像記憶エリア２２および分割画像記憶エリア２３と同様のフォーム画像記憶エリア３５および分割画像記憶エリア３６を確保し、閲覧制御部３２による処理結果等を記憶する。
画像合成部３７は、閲覧制御部３２と閲覧記憶部３３に格納された画像合成のためのプログラムとによって実現され、帳票フォームと分割画像データとを合成して顧客の帳票の画像データを復元する機能を有する。
【００２０】
画像圧縮部３８は、閲覧制御部３２と閲覧記憶部３３に格納された画像圧縮のためのプログラムとによって実現され、上記の画像圧縮部１４と同様にして差分画像データを圧縮する機能を有する。
上述した構成の作用について、図２に示す帳票画像処理システムの画像分割の手順を示すフローチャートを用い、帳票画像取得端末２の動作をＳで示すステップに従って説明する。
【００２１】
また、ここで図３は実施例１の画像データ処理の様子を示す説明図であり、（ａ）は画像データで、（ｂ）は帳票フォーム、（ｃ）は差分画像データ、（ｄ）は差分画像データの文字領域と押印領域の抽出した様子、（ｅ）は復元した帳票の画像データを示すものである。
Ｓ１、金融機関の係員は顧客の氏名や口座番号、取引金額等の記載された帳票をスキャナ３にセットし、帳票画像取得端末２の表示操作部５により画像データの取込指示のための入力を行う。画像取得部１０は取込指示の入力を受付けて、通信部８によってスキャナ３への帳票読取指示を送信する。
【００２２】
ここで、取込指示のための入力には、帳票に記載されている顧客の口座番号の入力も必要とし、ここで入力された口座番号は記憶部７に記憶しておくものとする。
スキャナ３は、帳票読取指示を受信することで、セットされた帳票から図３（ａ）に示す画像データを読み取って、その画像データを帳票画像取得端末２に送信する。
Ｓ２、帳票画像取得端末２の制御部６は、スキャナ３から受信した画像データを記憶部７に記憶しておき、通信部８によりフォーム特徴送信指示を帳票情報データベース２０に送信する。
【００２３】
フォーム特徴送信指示を受信した帳票情報データベース２０は、フォーム識別情報記憶エリア２１に記憶している全ての帳票種別情報を読み出し、その帳票種別情報を帳票画像取得端末２に送信する。
Ｓ３、フォーム識別部１１は、記憶部７に記憶されている画像データ読み出してそこから取引種別名を示す領域と、帳票情報データベース２０から受信した帳票種別情報の取引種別を示す画像とのマッチングを行い、該当する帳票種別情報から帳票の種別を識別する。
【００２４】
Ｓ４、制御部６は、上記で該当した帳票種別情報の種別ＩＤを記憶部７に記憶しておき、その種別ＩＤを付した帳票画像送信指示を通信部８により帳票情報データベース２０に送信する。
帳票情報データベース２０は、受信した帳票画像送信指示の種別ＩＤをもとにフォーム画像記憶エリア２２を検索して該当する図３（ｂ）に示す帳票フォームを読み出し、その帳票フォームを帳票画像取得端末２に送信する。
【００２５】
Ｓ５、差分抽出部１２は、記憶部７に記憶している画像データを読み出し、その画像データの帳票フォームに該当する部分と帳票情報データベース２０から受信した帳票フォームとを重ねることで位置合わせを行う。
そして位置合わせが行われた画像データの輝度成分から帳票フォームの輝度成分を減算することで、図３（ｃ）に示すような画像データから帳票フォームを除去した差分画像データを抽出する。
【００２６】
なお、制御部６は位置合わせの際に帳票フォームが画像データに重なるまでの平行移動の移動距離をオフセット座標として記憶部７に記憶しておくものとする。
Ｓ６、画像分割部１３は、上記の差分画像データを図３（ｄ）に示すように文字ごとに分割して抽出した分割画像データとそれぞれの座標データを取得する。そして画像圧縮部１４がその分割画像データの圧縮処理を行う。
【００２７】
なお、分割画像データに対応する座標データは、図３（ｄ）においてその文字を囲んでいる枠の例えば左上の一点と右下の一点のような対角線上の２点の座標の組み合わせで取扱うものとする。
Ｓ７、制御部６は、記憶部７に記憶している口座番号を読み出し、その口座番号に日付情報を付した識別番号を生成し、その識別番号と画像分割部１３で取得した分割画像データと座標データ、また記憶部７に記憶されている種別ＩＤとオフセット座標とを付した保存画像通知を通信部８によって帳票情報データベース２０に送信する。
【００２８】
帳票情報データベース２０は、受信した保存画像通知の識別番号と分割画像データ、座標データ、種別ＩＤ、オフセット座標を分割画像記憶エリア２３に記憶する。ここで図４は分割画像記憶エリアのデータ構造例である。
図４に示すように分割画像記憶エリア２３に記憶するときには、帳票情報データベース２０は識別番号に関連づけて種別ＩＤ、オフセット座標、分割画像データ、座標データを記憶し、またこれらに加えて分割画像データ数や各分割画像データを区別するための番号等も記憶する。
【００２９】
次に、図５に示す画像データへの復元の動作を示すフローチャートを用いて、帳票画像取得端末２の動作をＳで示すステップ、画像表示端末３０の動作をＳＡで示すステップに従い、帳票情報データベース２０に記憶された分割画像データを、その基となった顧客によって記入された帳票の画像データに復元して表示するまでの動作を説明する。
ＳＡ１、画像表示端末３０の閲覧制御部３２は、係員が表示操作部３１の操作部で画像閲覧のための操作で口座番号を入力すると、閲覧通信部３４によって入力された口座番号を付した帳票一覧取得通知を帳票画像取得端末２に送信する。
【００３０】
Ｓ１０、帳票画像取得端末２の制御部６は、受信した帳票一覧取得通知の口座番号を基にして帳票情報データベース２０との間で帳票一覧を取得するための交信処理を実行する。
つまり、制御部６は受信した口座番号を通信部８を介して帳票情報データベース２０に送信する。
【００３１】
帳票情報データベース２０は、受信した口座番号をもとに分割画像記憶エリア２３を検索することにより、その口座番号を含む識別番号を全て抽出して  帳票画像取得端末２に送信する。
Ｓ１１、制御部６は、受信した識別番号を通信部８によって画像表示端末３０に転送する。
【００３２】
ＳＡ２、閲覧制御部３２は、表示操作部３１に受信した識別番号を並べた識別番号一覧と表示する画像に該当する識別番号の選択を促す文言を配した識別番号選択画面を表示する。
ＳＡ３、係員が表示操作部３１の操作部で識別番号選択画面から識別番号を決定する入力を行うと、閲覧制御部３２はその入力された識別番号を認識して、その識別番号を閲覧通信部３４によって帳票画像取得端末２に送信する。
【００３３】
また、閲覧制御部３２は識別番号を閲覧記憶部３３に記憶する。
Ｓ１２、制御部６は、受信した識別番号を通信部８によって帳票情報データベース２０に送信することにより、帳票情報データベース２０からその識別番号をもとに分割画像記憶エリア２３を検索され、該当した分割画像データと座標データ、種別ＩＤ、オフセット座標が添付されたデータ通知を受け取る。
【００３４】
Ｓ１３、制御部６は、受信したデータ通知を通信部８によって画像表示端末３０に転送する。
ＳＡ４、閲覧制御部３２は、受信したデータ通知の分割画像データと座標データ、種別ＩＤ、オフセット座標と閲覧記憶部３３に記憶されている識別情報を、閲覧記憶部３３の分割画像記憶エリア３６に記憶しておき、種別ＩＤをもとに閲覧記憶部３３のフォーム画像記憶エリア３５を検索し、該当する帳票フォームを読み出す。
【００３５】
ＳＡ５、閲覧制御部３１は、閲覧記憶部３３に記憶した分割画像データと座標データ、オフセット座標を読み出し、画像合成部３７によって分割画像データを座標データに従って帳票フォームに重ねて合成し、顧客が記入した帳票の画像データを復元する。
つまり、閲覧制御部３２はオフセット座標に従って帳票フォームの位置を決定し、次に上記のステップＳ６に示すように圧縮処理されている分割画像データの伸長を行ってから、その分割画像データを座標データに従って帳票フォーム上に重ね、これによって帳票の画像データを復元する。
【００３６】
ＳＡ６、閲覧制御部３２は、表示操作部３１によって復元した画像データを表示する。
以上説明したように、本発明では、顧客が記入した帳票の画像データから差分画像データを抽出し、その抽出画像データをさらに文字ごとに分割して分割画像データを取得するので、顧客によって記入がなされた帳票１件あたりのデータ量を削減できるので、帳票情報データベースに差分画像データのまま記憶するよりも分割画像データにして記憶する方がより多くの件数のデータを記憶できる。
【００３７】
また、分割画像データにすることでデータ量を削減できるため、帳票画像取得端末から画像表示端末へ分割画像データを送信するときに、伝送時間が短くなって、さらにボトルネックによる他の業務が遅延してしまうのを防止できる。
なお、上記実施例１においては、帳票画像取得端末と帳票情報データベースを別々に構成するとして説明したが、帳票画像取得端末に帳票情報データベースに組み込んで１つの端末としても上記と同様の効果を得ることができる。
【００３８】
また、帳票画像取得端末と画像表示端末とを別々に構成するとして説明したが、これらを組み合わせて１つの端末としても上記と同様の効果を得ることができる。
なお、一般的にスキャナにはフラットベッド型、シートフィード型、ロット型、スタンド型等の種類があるが、上記実施例１のスキャナはどの種類の型でも適用できるものである。
【００３９】
また、スキャナの代わりにデジタルカメラ等を用いるようにしてもよい。
なお、上記実施例１においては、帳票フォーム識別情報として取引種別名を用いるとして説明したが、帳票種別ＩＤや罫線の特徴を読み取ることによってその帳票がどのような取引に用いられるかを特定するようにしてもよい。
【図面の簡単な説明】
【００４０】
【図１】実施例１の帳票画像処理システムを示すブロック図
【図２】帳票画像処理システムの画像分割の手順を示すフローチャート
【図３】実施例１の画像データ処理の様子を示す説明図
【図４】分割画像記憶エリアのデータ構造例
【図５】画像データへの復元の動作を示すフローチャート
【符号の説明】
【００４１】
１    帳票画像処理システム
２    帳票画像取得端末
３    スキャナ
５、３１  表示操作部
６    制御部
７    記憶部
８    通信部
１０  画像取得部
１１  フォーム識別部
１２  差分抽出部
１３  画像分割部
１４、３８  画像圧縮部
２０  帳票情報データベース
２１  フォーム識別情報記憶エリア
２２、３５  フォーム画像記憶エリア
２３、３６  分割画像記憶エリア
３０  画像表示端末
３２  閲覧制御部
３３  閲覧記憶部
３４  閲覧通信部
３７  画像合成部
【図１】
2008005219.tif 000003
【図２】
2008005219.tif 000004
【図３】
2008005219.tif 000005
【図４】
2008005219.tif 000006
【図５】
2008005219.tif 000007